【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
被写体のペッパーズ・ゴースト像を生成する方法で投影を行うのに適したフィルムを生成するように該被写体を撮影する方法であって、
該撮影は、奥行きが２０メートル未満のスタジオで実行され、
該方法は、被写体の前部を照明するための一以上のフロントライトと一以上のバックライトとを有する照明構成の下で該被写体を撮影する工程を含み、
該一以上のフロントライト及び一以上のバックライトは、該被写体の相当量の照明を提供するＬＥＤを備え、
該ライトは、該被写体の輪郭を明確にすべく該被写体の周囲に光の縁を生成するために、該被写体にて測定された該一以上のフロントライトの総輝度が、該被写体にて測定された該一以上のバックライトの総輝度よりも小さいか又は略同じとなるように制御され、該スタジオは後部スクリーンを有し、該フロントライトにより発せられる大多数のライトが該後部スクリーンによって該被写体方向に反射することがないように該フロントライトは角度付けられていることを特徴とする方法。
【請求項２】
該被写体にて測定された該フロントライトの総輝度に対する該被写体にて測定された該バックライトの総輝度の比が、２／３よりも大きいことを特徴とする請求項１に記載の方法。
【請求項３】
該被写体にて測定された該一以上のフロントライトの総輝度が、該被写体にて測定された該一以上のバックライトの総輝度よりも小さいことを特徴とする請求項１に記載の方法。
【請求項４】
該照明構成は、該被写体の側部を照明するための一以上のサイドライトを更に備え、選択的には該一以上のサイドライトは、該被写体の両側部を照明するためのものであることを特徴とする請求項１乃至３のうち何れか一に記載の方法。
【請求項５】
該後方スクリーンは光吸収性の黒色スクリーンであることを特徴とする請求項１乃至４の何れか一に記載の方法。
【請求項６】
該被写体と該後方スクリーンとの距離は３メータ未満であり、好ましくは２メートル未満であり、更に好ましくは１メータ未満であることを特徴とする請求項１乃至５の何れか一に記載の方法。
【請求項７】
該一以上のサイドライトは、
（ｉ）該被写体にて測定された該一以上のバックライトの総輝度よりも小さいとして該被写体にて測定された総輝度で、該側部又は各側部を照明するか、
（ｉｉ）該フロントライトの総輝度よりも小さい総輝度で、該側部又は各側部を照明するか、
（ｉｉｉ）該被写体が該サイドライトに接近するか離間するように動いたときに輝度を変化するように制御され、選択的には該一以上のサイドライトは、該被写体が該サイドライトに接近する時に照明の輝度を低下させるように制御され、該被写体が該サイドライトから離間する時に輝度を増加させることを特徴とする請求項４乃至６の何れか一に記載の方法。
【請求項８】
該一以上のリヤライト、一以上のフロントライト及び一以上のサイドライト（存在する場合）は、該被写体の（主に）異なる部分を照明するための異なるランプを備え、
該異なる部分は、該被写体の縦方向の部分を含むことを特徴とする請求項１乃至７の何れか一に記載の方法。
【請求項９】
該一以上のフロントライトは、（ｉ）該被写体の頭部を照明するためのプロフィール・スポットライト、（ｉｉ）該被写体の胴部を照明するためのプロフィール・スポットライト、（ｉｉｉ）該被写体の脚部及び足部を照明するためのプロフィール・スポットライト、及び（ｉｖ）（ｉ）から（ｉｉｉ）の任意の組合せのうち一を備え、
該一以上のバックライトは、（ｉ）該被写体の頭部を照明するためのプロフィール・スポットライト、（ｉｉ）該被写体の胴部を照明するためのプロフィール・スポットライト、（ｉｉｉ）該被写体の脚部及び足部を照明するためのプロフィール・スポットライト、及び（ｉｖ）（ｉ）から（ｉｉｉ）の任意の組合せのうち一を備えることを特徴とする請求項８に記載の方法。
【請求項１０】
（ｉ）該照明構成は、実質的に該被写体の真上に位置する頭上ライトを更に備え、及び又は
（ｉｉ）該一以上のフロントライトは、該被写体の眼部を照明するためのプロフィール・スポットライトを更に備え、及び又は
（ｉｉｉ）該一以上のフロントライトは、該被写体を下から照明するためのフィルランプを更に備え、及び又は
（ｉｖ）該照明構成は、一以上のフロアライトを更に含み、該被写体は、該一以上のフロアライトによって下から照明されるように、該一以上のフロアライトの真上に位置することを特徴とする請求項１乃至９の何れか一に記載の方法。
【請求項１１】
該一以上のフロント、サイド及びバックライトは、該被写体が立方形体積内で水平方向に移動する際に、該被写体に対する照明の特質が実質的に同じままであるように、該立方形体積を照明するように配置されることを特徴とする請求項４乃至１０の何れか一に記載の方法。
【請求項１２】
該スタジオは上げ台を有し、選択的には反射性の上げ台か半反射性の上げ台であることを特徴とする請求項１乃至１１の何れか一に記載の方法。
【請求項１３】
（ｉ）該ライトは、撮影される該被写体に対する照明効果が、該投影されたペッパーズ・ゴースト像の場所における照明効果に一致するように制御され、及び又は
（ｉｉ）該投影されたペッパーズ・ゴースト像の該場所において変化する照明環境に応じて、該被写体を照明する該ライトを制御する工程を含み、及び又は、
(ｉｉｉ) 該ライトは、該投影されたペッパーズ・ゴースト像の場所における人／物体の色温度と実質的に一致する、撮影中の該被写体の色温度を生成するように制御され、及び又は光は色温度が５５００〜５６００ケルビンとなるように制御されることを特徴とする請求項１乃至１２のうちの何れか一に記載の方法。
【請求項１４】
該照明構成による該被写体の照明のうち、少なくとも１０％、少なくとも２５％、少なくとも５０％、少なくとも７５％、少なくとも９０％、又は実質的に全部が、該一以上のＬＥＤによって提供されることを特徴とする請求項１乃至１３のうち何れか一に記載の方法。
【請求項１５】
ペッパーズ・ゴースト像として投影されるように被写体を撮影する工程は、テレプレゼンスを投影する工程を含み、
該ＬＥＤの光出力特性が、実質的にリアルタイムで制御されることを特徴とする請求項１乃至１４のうち何れか一に記載の方法。
【請求項１６】
該一以上のＬＥＤのうち少なくとも一つに取り付けられた少なくとも一つのフード又はバッフルを用いて、該一以上のＬＥＤ又は該一以上のＬＥＤのうち少なくとも一つによって発せられた光を、前記光の発散を減少させるように調節する工程を更に含み、
該フードは、使用時に該ＬＥＤからの光を受容するように配置される第一開口部を有する第一端と、前記受容された光が該フードから出射するのを可能とするように配置される第二開口部を有する第二端とを有し、該第二開口部は、該第一開口部よりも小さく、
該少なくとも一つのフードは、実質的に円錐台状又は円筒状であり、
該フードの内側面は、実質的に、プラスチック、ゴム、又は、プラスチックとゴムとの組合せから構成されることを特徴とする請求項１乃至１５のいずれか一に記載の方法。
【請求項１７】
該方法は、一以上の照明器具を有する照明構成の下で該被写体を撮影する工程を含み、
該照明器具は、少なくとも一つの反射面を有する光透過部材、複数のＬＥＤ、少なくとも一つの出力面、及び、該ＬＥＤによって発せられた光が該少なくとも一つの出力面に直接到達するのを防止するように、該ＬＥＤによって発せられた光を遮蔽するためのマスクを備え、
該ＬＥＤによって発せられた光は、該少なくとも一つの反射面での反射によって該少なくとも一つの出力面に到達し、
該照明器具は、該ＬＥＤによって発せられた光が該少なくとも一つの反射面へ向かうように構成され、
該マスクは、光が該少なくとも一つの出力面に直接到達するのを防止するために、該ＬＥＤの側部に位置する不透明面を備えることを特徴とする請求項１乃至１６のいずれか一に記載の方法。
【請求項１８】
（ｉ）フィルムを生成するためにカメラで被写体を撮影する工程であって、
該カメラのシャッター速度が１／２５秒と１／１２０秒との間である工程と、ペッパーズ・ゴースト投影システムに対して該フィルムを提供する工程とを含み、
（ｉｉ）該カメラの目線がペッパーズゴースト像を見ている観衆の目線と実質的に対応するように、該カメラは位置しており、該カメラは少なくとも該被写体から４メートル離れていることを特徴とする請求項１乃至１７のうち何れか一に記載の方法。
【請求項１９】
フィルム像がスクリーンに対する背景に重なるように観衆が視認できるように、該投影されるフィルムと該観衆との目線に対してある角度、好ましくは４５度で置かれた半透明スクリーンを通して該フィルムを投影する工程を含み、
該被写体の該ペッパーズ・ゴースト像が現実の該被写体と同じ高さで見えるように、該フィルムを投影する工程を含み、そして又は
該撮影工程は、該被写体が実質的にカメラによって記録された像の全高及び／又は全幅にわたって広がるように、該カメラ及び該被写体を配置する工程を含むことを特徴とする請求項１乃至１８のうちいずれか一に記載の方法。
【請求項２０】
請求項１乃至１９うち何れか一に記載の方法を実行するように構成された照明システム。
【請求項２１】
請求項１乃至１９のうち何れか一に記載の方法によって生成されたペッパーズ・ゴースト像として投影される被写体のフィルム。
【請求項２２】
請求項１乃至１９のうち何れか一に記載の方法を実行するように、該照明構成を制御するように構成された制御システム。
【請求項２３】
請求項１乃至１９のうち何れか一による方法を実行するための命令を記憶したデータ記憶媒体。